(57)【特許請求の範囲】
【請求項１】
環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロであって、
五徳に調理容器が載置されているか否かを検出するために、感熱ヘッドが押し下げられたときにオンする検出スイッチを備え、コンロバーナの点火操作時に検出スイッチがオフであるときは、コンロバーナの点火を禁止する点火制限制御を行い、コンロバーナの燃焼中に検出スイッチがオフしたときは、コンロバーナの火力を弱めることと消火することとの少なくとも一方を含む燃焼制限制御を行うものにおいて、
感熱ヘッドに、支持パイプに対し感熱ヘッドを上方に付勢するばねと、検出スイッチとが収納され、
検出スイッチは、ばねを挟んで上下方向に対峙する接点部材と導体部材とを有し、接点部材と導体部材は互いに嵌合可能な形状に形成され、接点部材に、第１の検出スイッチとして機能する互いに電気的に絶縁された一対の第１接点と、第２の検出スイッチとして機能する互いに電気的に絶縁された一対の第２接点とが上下方向に位置をずらして設けられ、
ばねの圧縮量が、五徳に調理容器を載置して感熱ヘッドが押し下げられたときのばねの圧縮量と同等に設定される第１の所定量になったときに、両第１接点が導体部材の接触で電気的に接続されて、第１の検出スイッチがオンし、ばねの圧縮量が第１の所定量とそれより小さな第２の所定量との間の範囲に存するときに、両第２接点が導体部材の接触で電気的に接続されて、第２の検出スイッチがオンするようにし、
点火制限制御は、第１の検出スイッチがオフであるときに行い、燃焼制限制御は、第２の検出スイッチがオフしたときに行うことを特徴とするガスコンロ。
【請求項２】
前記感熱ヘッドに、前記ばねとしてばね定数の異なる上下２個のばねが収納され、これら２個のばねのうちばね定数の小さなものを第１ばね、ばね定数の大きなものを第２ばねとして、前記接点部材と前記導体部材は、第１ばねを挟んで上下方向に対峙し、前記第１の検出スイッチがオンする前記第１の所定量は、前記五徳に調理容器を載置して感熱ヘッドが押し下げられたときの第１ばねの圧縮量と同等に設定されることを特徴とする請求項１記載のガスコンロ。
【請求項３】
前記感熱ヘッドに、当該感熱ヘッドを上方に付勢する単一のばねを収納した請求項１記載のガスコンロであって、前記接点部材の前記導体部材が嵌合する周面に、前記一対の第１接点と前記一対の第２接点とが上下方向に位置をずらして設けられることを特徴とするガスコンロ。
【請求項４】
請求項２記載のガスコンロであって、前記接点部材と前記導体部材は、接点部材と導体部材の嵌合状態で上下方向に近接対向する端面を有し、接点部材の端面に前記一対の第１接点が設けられ、接点部材の導体部材が嵌合する周面に前記一対の第２接点が設けられ、前記第１ばねの圧縮量が前記第１の所定量になったときに、両第１接点に導体部材の端面が接触するように構成されることを特徴とするガスコンロ。
【請求項５】
請求項２記載のガスコンロであって、前記接点部材の前記導体部材が嵌合する周面に、前記一対の第１接点と前記一対の第２接点とが上下方向に位置をずらして設けられることを特徴とするガスコンロ。
【発明の詳細な説明】
【技術分野】
【０００１】
本発明は、環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロに関する。
【背景技術】
【０００２】
従来、この種のガスコンロとして、五徳に調理容器が載置されているか否かを検出するために、感熱ヘッドが押し下げられたときにオンする検出スイッチを備え、コンロバーナの点火操作時に検出スイッチがオフであるときは、コンロバーナの点火を禁止する点火制限制御を行い、点火後に検出スイッチがオフしたときは、コンロバーナの火力を弱めることと消火することとの少なくとも一方を含む燃焼制限制御を行うものが知られている（例えば、特許文献１参照）。
【０００３】
ここで、特許文献１に記載のものでは、支持パイプの外部の定位置に検出スイッチたるマイクロスイッチを固定し、感熱ヘッドが押し下げられたときにその下端部に固定したドグがマイクロスイッチのレバーを押して、マイクロスイッチがオンされるようにしている。
【０００４】
また、支持パイプの外部の定位置に検出スイッチたるリードスイッチとこれに対向する永久磁石とを固定すると共に、感熱ヘッドと一緒に上下動し、感熱ヘッドの上動位置でリードスイッチと永久磁石との間に挿入される磁性体を設けて、感熱ヘッドが押し下げられたとき、磁性体がリードスイッチと永久磁石との間から下方に離脱して、永久磁石の磁界がリードスイッチに伝わり、リードスイッチがオンするようにしたものも知られている（例えば、特許文献２参照）。
【０００５】
ここで、特許文献１に記載のものでは、調理容器からの煮こぼれを生じたとき、マイクロスイッチに煮こぼれ汁がかかると、マイクロスイッチが故障することがある。そのため、マイクロスイッチに煮こぼれ汁がかからないようにカバーを設けることが必要になり、構造が複雑になってコストが高くなる不具合がある。また、特許文献２に記載のものも、リードスイッチ、永久磁石及び磁性体が必要で、コストが高くなる不具合がある。
【０００６】
また、五徳に調理容器を載置しない状態でコンロバーナに点火されたときの使用者の着衣への引火等の危険性を考慮して、従来は、調理容器の底面が五徳に着座するまで感熱ヘッドが押し下げられたときに、検出スイッチがオンするようにしている。そのため、調理容器を五徳から浮かせる炒め物等の鍋振り調理を行う場合、検出スイッチがオフして燃焼制限制御が実行されてしまい、調理性が悪くなる。
【先行技術文献】
【特許文献】
【０００７】
【特許文献１】特開２０１０−１３９１８９号公報
【特許文献２】特開２０１０−２５４２０号公報
【発明の概要】
【発明が解決しようとする課題】
【０００８】
本発明は、以上の点に鑑み、煮こぼれ汁による検出スイッチの故障を生じず、鍋振り調理の調理性も向上できるようにした低コストのガスコンロを提供することをその課題としている。
【課題を解決するための手段】
【０００９】
上記課題を解決するために、本発明は、環状のコンロバーナで囲われるバーナ内方空間に挿通される上下方向に長手の支持パイプの上端部に上方に付勢して支持される、感熱素子を内蔵する感熱ヘッドを有する鍋底温度センサを備え、天板上の五徳に調理容器を載置したときに、感熱ヘッドが調理容器の底面に当接して押し下げられるようにしたガスコンロであって、五徳に調理容器が載置されているか否かを検出するために、感熱ヘッドが押し下げられたときにオンする検出スイッチを備え、コンロバーナの点火操作時に検出スイッチがオフであるときは、コンロバーナの点火を禁止する点火制限制御を行い、点火後に検出スイッチがオフしたときは、コンロバーナの火力を弱めることと消火することとの少なくとも一方を含む燃焼制限制御を行うものにおいて、感熱ヘッドに、支持パイプに対し感熱ヘッドを上方に付勢するばねと、検出スイッチとが収納され、検出スイッチは、ばねを挟んで上下方向に対峙する接点部材と導体部材とを有し、接点部材と導体部材は互いに嵌合可能な形状に形成され、接点部材に、第１の検出スイッチとして機能する互いに電気的に絶縁された一対の第１接点と、第２の検出スイッチとして機能する互いに電気的に絶縁された一対の第２接点とが上下方向に位置をずらして設けられ、ばねの圧縮量が、五徳に調理容器を載置して感熱ヘッドが押し下げられたときのばねの圧縮量と同等に設定される第１の所定量になったときに、両第１接点が導体部材の接触で電気的に接続されて、第１の検出スイッチがオンし、ばねの圧縮量が第１の所定量とそれより小さな第２の所定量との間の範囲に存するときに、両第２接点が導体部材の接触で電気的に接続されて、第２の検出スイッチがオンするようにし、点火制限制御は、第１の検出スイッチがオフであるときに行い、燃焼制限制御は、第２の検出スイッチがオフしたときに行うことを特徴とする。
【００１０】
本発明によれば、調理容器が五徳に載置されていない状態では、ばねの圧縮量が第１の所定量を下回って両第１接点に導体部材が接触せず、第１の検出スイッチがオフとなって、点火操作時に点火制限制御が行われ安全である。また、点火後、鍋振り調理で調理容器を五徳から浮かせると、第１の検出スイッチはオフするが、第２の検出スイッチは、ばねの圧縮量が第２の所定量を下回るまで調理容器を五徳からかなり浮かせない限りオンしたままになり、燃焼制限制御は実行されず、鍋振り調理の調理性が向上する。
【００１１】
更に、本発明では、感熱ヘッドに検出スイッチが収納されるため、検出スイッチに煮こぼれ汁がかかることはなく、煮こぼれ汁による検出スイッチの故障を特別のカバーを設けずに防止できる。また、ばねを挟んで上下方向に対峙する接点部材と導体部材を設けるだけで検出スイッチを構成できるため、構造が簡単でコストダウンを図ることができる。
【００１２】
また、本発明においては、感熱ヘッドに、これを上方に付勢するばねとしてばね定数の異なる上下２個のばねが収納され、これら２個のばねのうちばね定数の小さなものを第１ばね、ばね定数の大きなものを第２ばねとして、接点部材と導体部材は、第１ばねを挟んで上下方向に対峙するようにしてもよい。この場合、第１の検出スイッチがオンする上記第１の所定量は、五徳に調理容器を載置して感熱ヘッドが押し下げられたときの第１ばねの圧縮量と同等に設定される。
【００１３】
ところで、接点部材の導体部材が嵌合する周面に、一対の第１接点と一対の第２接点とを上下方向に位置をずらして設けてもよいが、接点部材と導体部材が、接点部材と導体部材の嵌合状態で上下方向に近接対向する端面を有するものであれば、接点部材の端面に一対の第１接点を設けると共に、接点部材の導体部材が嵌合する周面に一対の第２接点を設け、ばねの圧縮量が第１の所定量になったときに、両第１接点に導体部材の端面が接触するように構成してもよい。
【００１４】
但し、感熱ヘッドにこれを上方に付勢する単一のばねを収納した場合には、接点部材の端面に第１接点を設けると、第１接点に導体部材の端面が接触したところでそれ以上感熱ヘッドを押し下げられなくなる。そのため、底面が下方に丸く窪む中華鍋を五徳に載置する際、中華鍋の底面が五徳に着座する前に、感熱ヘッドが押し下げ不能となって、中華鍋を五徳に安定して載置できなくなる。一方、接点部材の導体部材が嵌合する周面に第１の接点と第２の接点を設けておけば、第１接点に導体部材が接触した後も感熱ヘッドの押し下げが許容され、上記の不具合を生じない。
【００１５】
尚、感熱ヘッドに上記第１と第２の２個のばねを収納し、接点部材と導体部材を第１ばねを挟んで上下方向に対峙させた場合には、接点部材の端面に第１接点を設けても、第１接点に導体部材の端面が接触した後の感熱ヘッドの押し下げが第２ばねの圧縮で許容され、上記の不具合を生じない。
【図面の簡単な説明】
【００１６】
【図１】本発明の実施形態のガスコンロを示す断面図。
【図２】（ａ）図１のコンロに設けられる鍋底温度センサの第１実施形態の断面図、（ｂ）感熱ヘッドを押し下げた状態の第１実施形態の断面図。
【図３】実施形態のガスコンロのコントローラが行う点火制限制御と燃焼制限制御の制御内容を示すフロー図。
【図４】（ａ）図１のコンロに設けられる鍋底温度センサの第２実施形態の断面図、（ｂ）感熱ヘッドを押し下げた状態の第２実施形態の断面図。
【発明を実施するための形態】
【００１７】
図１を参照して、１は、図示省略したコンロ本体の上面を覆う天板を示している。天板１には、バーナ用開口１ａが開設されており、コンロ本体に、バーナ用開口１ａに臨むようにコンロバーナ２を設置している。天板１上には、環状の五徳枠３１に放射状に複数の五徳爪３２を取り付けて成る五徳３がコンロバーナ２を囲うようにして設置されており、五徳３に載置する鍋等の調理容器がコンロバーナ２で加熱される。
【００１８】
コンロバーナ２は、混合管２１に連なる環状のバーナボディ２２と、バーナボディ２２上に載置され、バーナボディ２２との間に炎口２３ａを画成する環状のバーナキャップ２３と、バーナキャップ２３上に載置され、バーナキャップ２３との間に二次空気通路を画成する環状の二次空気ガイド板２４とを備える公知の環状バーナで構成されている。また、コンロバーナ２の外周には、点火電極２５と火炎検知のための熱電対２６とが付設されている。
【００１９】
コンロバーナ２に対するガス供給路２７には、上流側から順に、常閉型の第１電磁弁２７１と、コンロ本体前面の図示省略した操作ボタンによる点火操作で開弁され消火操作で閉弁される手動の主弁２７２と、コンロ本体前面の図示省略した火力調節レバーに連動する手動の流量調節弁２７３と、常開型の第２電磁弁２７４と、第２電磁弁２７４に並列のオリフィス２７５とが介設されている。そして、第１電磁弁２７１の閉弁でコンロバーナ２へのガス供給が停止され、第２電磁弁２７４の閉弁で、コンロバーナ２への供給ガス量がオリフィス２７５で規定される少量に制限されて、コンロバーナ２の火力が弱められるようにしている。
【００２０】
また、コンロバーナ２で囲われるバーナ内方空間を通してコンロバーナ２の上方に突出する鍋底温度センサ４が設置されている。鍋底温度センサ４は、バーナ内方空間に挿通される上下方向に長手の支持パイプ４１と、支持パイプ４１の上端部に支持される感熱ヘッド４２とを備えている。支持パイプ４１は、図示省略した固定具でコンロバーナ２に対し固定される。感熱ヘッド４２は、図２に示す如く、調理容器の底面に当接する集熱板４２ａと、集熱板４２ａで上端が閉塞される内筒４２ｂと、内筒４２ｂを囲う遮熱用の外筒４２ｃとを備え、集熱板４２ａの下面に、集熱板４２ａを介して調理容器の温度を検出するサーミスタ等の感熱素子４３が取り付けられている。
【００２１】
内筒４２ｂは、支持パイプ４１の上端に固定したばね受け４４ａに上下動自在に外挿されており、このばね受け４４ａと集熱板４２ａとの間に介設されるばね４４を感熱ヘッド４２に収納して、支持パイプ４１に対し感熱ヘッド４２をばね４４により上方に付勢している。また、内筒４２ｂの下端部には縮径した段差部４２ｄが形成されており、五徳３に調理容器を載せない自由状態では、感熱ヘッド４２がばね受け４４ａの下面への段差部４２ｄの当接で規制される上動端位置に保持される。この上動端位置では、感熱ヘッド４２が五徳３よりも上方に突出している。そして、五徳３に調理容器を載置したとき、感熱ヘッド４２が調理容器の底面に当接してばね４４の付勢力に抗して押し下げられ、集熱板４２ａがばね４４の圧縮反力で調理容器の底面に確実に当接するようにしている。
【００２２】
感熱素子４３からのびるリード線４３ａは、支持パイプ４１に挿通され、その下端から外部に引き出されて制御手段たるコントローラ５に接続される（図１参照）。コントローラ５は、感熱素子４３で検出した調理容器の温度が所定の過熱温度に上昇したとき、第２電磁弁２７４を閉弁してコンロバーナ２の火力を弱め、その後も調理容器の温度が過熱温度を下回らないときに第１電磁弁２７１を閉弁してコンロバーナ２を消火する過熱防止制御を行う。尚、リード線４３ａには比較的剛性の高い被覆４３ｂが外挿されており、感熱ヘッド４２の上下動に追従してリード線４３ａが支持パイプ４１内で撓むことなく上下動する。
【００２３】
また、感熱ヘッド４２には、五徳３に調理容器が載置されているか否かを検出するために、感熱ヘッド４２が押し下げられたときにオンする検出スイッチ６が収納されている。そして、コンロバーナ２の点火操作時に検出スイッチ６がオフであるときは、コンロバーナ２の点火を禁止する点火制限制御を行い、点火後に検出スイッチ６がオフしたときは、コンロバーナ２の火力を弱めることと消火することとの少なくとも一方を含む燃焼制限制御を行うようにしている。具体的な制御内容は後述する。
【００２４】
検出スイッチ６は、ばね４４を挟んで上下方向に対峙するセラミックス等の絶縁材料製の接点部材６ａと金属等の導電材料製の導体部材６ｂを有している。本実施形態では、接点部材６ａを、ばね４４の下端を受ける、支持パイプ４１に対し固定の上記ばね受け４４ａで構成し、導体部材６ｂを、ばね４４の上端を受ける感熱ヘッド４２の上端部、即ち、集熱板４２ａに固定している。また、接点部材６ａと導体部材６ｂは互いに嵌合可能な形状に形成されている。即ち、接点部材６ａは、上方にのびる筒状に形成され、導体部材６ｂは、接点部材６１の内周面に嵌合可能な下方にのびる筒状に形成されている。
【００２５】
接点部材６ａの導体部材６ｂが嵌合する周面である内周面には、第１の検出スイッチ６１として機能する一対の第１接点６１ａ，６１ａが互いに電気的に絶縁した状態で設けられ、接点部材６ａの内周面の第１接点６１ａ，６１ａよりも上方部分には、第２の検出スイッチ６２として機能する一対の第２接点６２ａ，６２ａが互いに電気的に絶縁した状態で設けられている。そして、ばね４４の圧縮量が第１の所定量になったときに、図２（ｂ）に示す如く、両第１接点６１ａ，６１ａに導体部材６ｂが接触し、両第１接点６１ａ，６１ａが導体部材６ｂを介して電気的に接続されて第１の検出スイッチ６１がオンし、ばね４４の圧縮量が第１の所定量とそれより小さな第２の所定量との間の範囲に存するときに、両第２接点６２ｂ，６２ｂに導体部材６ｂが接触し、両第２接点６ｂ，６ｂが導体部材６ｂを介して電気的に接続されて第２の検出スイッチ６２がオンするようにしている。尚、上記第１の所定量は、五徳３に調理容器を載置して感熱ヘッド４２が押し下げられたとき（正確には、底の平らな調理容器の底面が五徳３に着座するまで感熱ヘッド４２を押し下げたとき）のばね４４の圧縮量と同等に設定される。
【００２６】
第１接点６１ａに接続される第１の検出スイッチ６１用のリード線６１ｂと、第２接点６２ａに接続される第２の検出スイッチ６２用のリード線６２ｂは、夫々支持パイプ４１に挿通され、その下端から外部に引き出されてコントローラ５に接続される（図１参照）。そして、コントローラ５は、点火操作時に第１の検出スイッチ６１がオフであるとき点火制限制御を行い、コンロバーナ２の燃焼中に第２の検出スイッチ６２がオフしたとき燃焼制限制御を行う。尚、図示しないが、コントローラ５には、操作ボタンによる点火操作でオンし、消火操作でオフする点消火スイッチからの信号と、熱電対２６からの出力信号も入力される。以下、図３を参照して、点火制限制御と燃焼制限制御について詳述する。
【００２７】
先ず、ＳＴＥＰ１で主弁２７２を開弁する点火操作が行われたか否か、即ち、点消火スイッチがオンされた否かを判別し、オンされたときは、ＳＴＥＰ２で第１の検出スイッチ６１がオンであるか否かを判別する。第１の検出スイッチ６１がオフであれば、五徳３に調理容器が載置されていないと判断し、ＳＴＥＰ３に進んで調理容器が載置されていない旨を表示するエラー表示を行い、ＳＴＥＰ１に戻る。この場合、常閉型の第１電磁弁２７１は閉弁されたままであり、コンロバーナ２にガスは供給されず、点火を禁止する点火制限制御が行われることになる。
【００２８】
一方、ＳＴＥＰ２で第１の検出スイッチ６１がオンであると判別されたときは、ＳＴＥＰ４に進み、図示省略したイグナイタに通電して点火電極２５でスパークさせると共に、ＳＴＥＰ５で第１電磁弁２７１を開弁させて、コンロバーナ２に点火する。次に、ＳＴＥＰ６に進み、点火確認のために、熱電対２６の起電圧Ｖｔｃが所定の閾値ＹＶ以上になったか否かを判別し、Ｖｔｃ＜ＹＶであれば、ＳＴＥＰ７でスパーク開始から所定時間経過したか否かを判別し、Ｖｔｃ＜ＹＶのまま所定時間経過したときは、点火ミスを生じたと判断し、ＳＴＥＰ１４に進んで第１電磁弁２７１を閉弁させる。
【００２９】
一方、所定時間経過前にＶｔｃ≧ＹＶになったときは、ＳＴＥＰ８に進んで第２の検出スイッチ６２がオンであるか否かを判別し、オンであれば、ＳＴＥＰ９に進んでＶｔｃ≧ＹＶであるか否かを判別する。そして、Ｖｔｃ≧ＹＶであればＳＴＥＰ８に戻るが、コンロバーナ２の失火でＶｔｃ＜ＹＶになったときは、ＳＴＥＰ１４に進んで第１電磁弁２７１を閉弁させる。また、図示しないが、鍋底温度センサ４で検出した調理容器の温度が所定の過熱温度に上昇したときは上述した過熱防止制御を行う。
【００３０】
ＳＴＥＰ８で第２の検出スイッチ６２がオフであると判別されたときは、ＳＴＥＰ１０に進んで第２電磁弁２７４を閉弁させ、コンロバーナ２の火力を弱める燃焼制限制御を行う。その後、ＳＴＥＰ１１で第２の検出スイッチ６２がオンしているか否かを再度判別し、オンしたときは、ＳＴＥＰ１２で第２電磁弁２７４を開弁させた後、ＳＴＥＰ８に戻る。一方、第２の検出スイッチ６２がオフのままであれば、ＳＴＥＰ１３に進み、第２の検出スイッチ６２がオフのまま所定時間経過したか否かを判別する。そして、所定時間経過したときは、ＳＴＥＰ１４に進んで第１電磁弁２７１を閉弁し、コンロバーナ２を消火する第２の燃焼制限制御を行う。尚、第２の検出スイッチ６２がオフしたときの燃焼制限制御として、コンロバーナ２の火力を弱めることと消火することとの何れか一方を行うようにしてもよい。
【００３１】
ここで、一対の第１接点６１ａ，６１ａに導体部材６ｂが接触するときのばね４４の圧縮量である上記第１の所定量は、五徳３に調理容器を載置して感熱ヘッド４２が押し下げられたときのばね４４の圧縮量と同等に設定されている。そのため、調理容器が五徳３に載置されていない状態では、両第１接点６１ａ，６１ａに導体部材６ｂが接触せず、第１の検出スイッチ６１がオフとなって、点火操作時に点火制限制御が行われ安全である。また、点火後、鍋振り調理で調理容器を五徳３から浮かせると、第１の検出スイッチ６１はオフするが、第２の検出スイッチ６２は、ばね４４の圧縮量が第２の所定量を下回るまで調理容器を五徳３からかなり浮かせない限りオンしたままになり、燃焼制限制御は実行されず、鍋振り調理の調理性が向上する。
【００３２】
更に、本発明では、感熱ヘッド４２に検出スイッチ６が収納されるため、検出スイッチ６に煮こぼれ汁がかかることはなく、煮こぼれ汁による検出スイッチ６の故障を特別のカバーを設けずに防止できる。また、ばね４４を挟んで上下方向に対峙する接点部材６ａと導体部材６ｂを設けるだけで検出スイッチ６を構成できるため、構造が簡単でコストダウンを図ることができる。
【００３３】
次に、図４に示す第２実施形態について説明する。第２実施形態では、感熱ヘッド４２に、これを上方に付勢するばねとしてばね定数が比較的小さな第１ばね４４１と、ばね定数が比較的大きな第２ばね４４２との上下２個のばねを収納しており、検出スイッチ６を構成する接点部材６ａと導体部材６ｂが、感熱ヘッド４２の押し下げで最初に圧縮される第１ばね４４１を挟んで上下方向に対峙するようにしている。
【００３４】
ここで、第１ばね４４１は、第２ばね４４２の下側に配置されている。そして、第１ばね４４１の下端を受ける、支持パイプ４１に対し固定の絶縁材料製のばね受け４４ａで接点部材６ａを構成し、第１ばね４４１とその上側の第２ばね４４２との間に介設する導電材料製の中間ばね受け４４ｂで導体部材６ｂを構成している。接点部材６ａは、上方にのびる筒状に形成され、導体部材６ｂは、接点部材６ａの内周面に嵌合する下方にのびる筒部と、筒部の上端から径方向外方に張出す下向きの端面とを有し、接点部材６ａに導体部材６ｂの筒部がその上端部に亘って嵌合したとき、接点部材６ａの上端面と導体部材６ｂの下向きの端面とが上下方向に近接対向する。
【００３５】
接点部材６１の上端面には、第１の検出スイッチ６１用の一対のリード線６１ｂ，６１ｂに接続される一対の第１接点６１ａ，６１ａが電気的に絶縁した状態で設けられ、接点部材６１の内周面の上部には、第２の検出スイッチ６２用の一対のリード線６２ｂ，６２ｂに接続される一対の第２接点６２ａ，６２ａが電気的に絶縁した状態で設けられている。そして、第１ばね４４１の圧縮量が第１の所定量になったときに、図４（ｂ）に示す如く、両第１接点６１ａ，６１ａに導体部材６ｂの端面が接触し、両第１接点６１ａ，６１ａが導体部材６ｂを介して電気的に接続されて第１の検出スイッチ６１がオンし、第１ばね４４１の圧縮量が第１の所定量とそれより小さな第２の所定量との間の範囲に存するときに両第２接点６２ｂ，６２ｂに導体部材６ｂの筒部が接触し、両第２接点６ｂ，６ｂが導体部材６ｂを介して電気的に接続されて第２の検出スイッチ６２がオンするようにしている。尚、上記第１の所定量は、五徳３に調理容器を載置して感熱ヘッド４２が押し下げられたとき（正確には、底の平らな調理容器の底面が五徳３に着座するまで感熱ヘッド４２を押し下げたとき）の第１ばね４４１の圧縮量と同等に設定される。
【００３６】
第２実施形態においても、上述した図３に示す制御を行う。これによれば、調理容器が五徳３に載置されていない状態では、点火操作時に点火制限制御が行われて安全であり、また、点火後、鍋振り調理で調理容器を五徳３から多少浮かせても、燃焼制限制御は実行されず、鍋振り調理の調理性が向上する。
【００３７】
ところで、上記第１実施形態において、第２実施形態と同様に、一対の第１接点６１ａ，６１ａを接点部材６ａの上端面に設けると共に、導体部材６ｂに接点部材６ａの上端面に対向する端面を形成し、ばね４４の圧縮量が第１の所定量になったときに、両第１接点６１ａ，６１ａに導体部材６ｂの端面が接触して第１の検出スイッチ６１がオンするように構成することも可能である。然し、この場合には、導体部材６ｂの端面が第１接点６１ａ，６１ａに接触すると、感熱ヘッド４２をそれ以上押し下げられなくなる。そのため、底面が下方に丸く窪む中華鍋を五徳３に載置する際、中華鍋の底面が五徳３に着座する前に、感熱ヘッド４２が押し下げ不能となって、中華鍋を五徳３に安定して載置できなくなる。そこで、第１実施形態では、接点部材６ａの内周面に第２接点６２ａ，６２ａに加えて第１接点６１ａ，６１ａを設け、導体部材６ｂが第１接点６１ａ，６１ａに接触した後も、感熱ヘッド４２を押し下げられるようにしているのである。
【００３８】
尚、第２実施形態では、第１ばね４４１の圧縮で導体部材６ｂの端面が接点部材６ａの上端面の第１接点６１ａ，６１ａに接触した後も、第２ばね４４２の圧縮で感熱ヘッド４２の押し下げが許容される。そのため、中華鍋を五徳３に安定して載置することができる。
【００３９】
また、第２実施形態の変形例として、導体部材６ｂを接点部材６ａの外周面に嵌合可能な形状に形成し、接点部材６ａの外周面に第２接点６２ａ，６２ａを設けると共に、接点部材６ａの下端部の上向きの端面に第１接点６１ａ，６１ａを設けて、第１ばね４４１の圧縮量が第１の所定量になったときに、導体部材６ｂの下端面が第１接点６１ａ，６１ａに接触するように構成することも可能である。更に、第２実施形態の変形例として、接点部材６ａの導体部材６ｂが嵌合する周面に、上記第１実施形態と同様に、第１接点６１ａ，６１ａと第２接点６２ａ，６２ａとを上下方向に位置をずらして設けてもよい。
【００４０】
以上、本発明の実施形態について図面を参照して説明したが、本発明はこれに限定されない。例えば、上記第１、第２実施形態では、接点部材６ａを絶縁材料製としているが、これを金属製とし、各第１接点６１ａ及び各第２接点６２ａを絶縁材を介して接点部材６ａに固定してもよい。また、導体部材６ｂの表面に両第１接点６１ａ，６１ａ及び両第２接点６２ａ，６２ａに跨って接触可能な導体を取り付ければ、導体部材６ｂを絶縁材料製とすることも可能である。
【００４１】
また、上記第２実施形態では、上下２個のばねのうち下側のばねをばね定数の小さな第１ばね４４１としているが、第１ばね４４１を上側のばねとすることも可能である。更に、上記第１、第２実施形態では、ばね４４や第１ばね４４１の下側に接点部材６ａ、上側に導体部材６ｂを配置しているが、接点部材６ａと導体部材６ｂを上下逆に配置することも可能である。
【符号の説明】
【００４２】
１…天板、２…コンロバーナ、３…五徳、４…鍋底温度センサ、４１…支持パイプ、４２…感熱ヘッド、４３…感熱素子、４４…ばね、４４１…第１ばね、４４２…第２ばね、６…検出スイッチ、６ａ…接点部材、６ｂ…導体部材、６１…第１の検出スイッチ、６１ａ…第１接点、６２…第２の検出スイッチ、６２ａ…第２接点。
【図１】
0005564064.tif 000002
【図２】
0005564064.tif 000003
【図３】
0005564064.tif 000004
【図４】
0005564064.tif 000005